(57)【特許請求の範囲】
【請求項１】
回転しつつ光軸方向に進退する第１の駆動筒と、該第１の駆動筒と一体となって回転せずに該第１の駆動筒とともに光軸方向に進退する第２の駆動筒と、該第２の駆動筒にある第１の突部と第２の突部との間に弾性変形を利用して組み込まれているリング部材とを有し、該第１の駆動筒に回転力を付与する駆動ピンを該第１の駆動筒に固定する雌ねじ部が該リング部材に形成され、該リング部材が該第１及び第２の駆動筒を相対回転可能に保持することを特徴とするカメラの鏡筒構造。
【発明の詳細な説明】
【０００１】
【発明の属する技術分野】
本発明は、カメラのレンズ鏡筒、特にズームレンズの鏡筒構造に関するものである。
【０００２】
【従来の技術】
従来、少なくとも２群以上のレンズ群を光軸方向に移動させて焦点距離変換を行うズームレンズを用いたズームレンズ鏡筒は、例えば本出願人の出願に係る特開平９−２１１２９２号公報に記載されているものがある。
すなわち、ズーミングによるカムの回転角を１／３回転、つまり１２０度以下に設定することで、相対回転可能に構成されたカムリングと直進ガイド筒の係合を、該直進ガイド筒の外周面上に設けられた複数の凸部と該カムリング内周面に形成された周方向溝部との係合で行うとともに、これらカムリングと直進ガイド筒との使用範囲外に、該周方向溝部に連通する光軸方向溝部を設けることで容易に直進ガイド筒とカムリングを組み付けることができるように構成されていた。また、該カムリングに駆動力を付与するための駆動ピンは専用の雌ねじ部材、いわゆるナットにより該カムリングに固定されていた。
【０００３】
【発明が解決しようとする課題】
ところで、前述従来例においては、ズーミングによるカムリングの回転角を増やそうとした場合、例えば直進ガイド筒に係合凸部が３ケ所均等に１２０度毎に外周面上に形成されていると、カムリングと直進ガイド筒は１２０度回転する毎に組込み位相と係合凸部が一致するため、カムリングと直進ガイド筒は係合が外れてしまい、その機能を果たせなくなる。
また、一般的によく行われているように該係合凸部の位相を１２０度等分から外して構成することで１回転に一度しか外れない構成にすることはできるが、３ケ所の係合凸部のうちのどれか一つが回転中にカムリングの３ケ所の光軸方向溝部の一つに一致し引っ掛かりの原因となり、カムリングと直進ガイド筒の相対回転がうまく機能しないという問題が発生する。
【０００４】
本発明は、前述従来例の欠点を除去し、カムリングと直進ガイド筒の使用可能な回転角度を増すことができるレンズ鏡筒構造を提供することを目的とする。
【０００５】
【課題を解決するための手段】
前述の目的を達成するために、本発明は、回転しつつ光軸方向に進退する第１の駆動筒と、該第１の駆動筒と一体となって回転せずに該第１の駆動筒とともに光軸方向に進退する第２の駆動筒と、該第２の駆動筒にある第１の突部と第２の突部との間に弾性変形を利用して組み込まれているリング部材とを有し、該第１の駆動筒に回転力を付与する駆動ピンを該第１の駆動筒に固定する雌ねじ部が該リング部材に形成され、該リング部材が該第１及び第２の駆動筒を相対回転可能に保持するものである。
【０００６】
【発明の実施の態様】
請求項１に示す本発明のレンズ鏡筒構造は、回転しつつ光軸方向に進退する第１の駆動筒と、該第１の駆動筒と一体になって回転せずに光軸方向に進退する第２の駆動筒と、該第１及び第２の駆動筒を相対回転可能に保持するリング部材とを有し、該リング部材には該第１の駆動筒に回転力を付与するための駆動ピンを該第１の駆動筒に固定する雌ねじ部が一体的に形成されていることにより、リング部材は第１の駆動筒と第２の駆動筒を相対回転可能に支持する機能と、駆動ピンを該第１の駆動筒に固定するための雌ねじ部の機能を有しており、該駆動ピンを該リング部材の雌ねじ部に固定することで同時に、該第１の駆動筒と第２の駆動筒を相対摺動可能なように構成することができるので、該該第１及び第２の駆動筒の使用可能な回転角を増すことができる。
【０００７】
【実施例】
以下、本発明の一実施例を図１に基づいて説明する。
図１は本実施例のカメラのレンズ鏡筒の分解斜視図である。
同図において、１は不図示の第１レンズ群を保持する第１群保持筒で、その内周部には光軸方向の突条１ａ，１ｂが設けられ、その外周面には周方向に等間隔に３ケ所のカムピン１ｃが形成されている。２は第１直進ガイド筒で、その外周面に光軸方向の溝部２ａ，２ｂと３ケ所の光軸方向の貫通孔２ｃがそれぞれ形成され、該光軸方向の溝部２ａ，２ｂが該第１群保持筒１の光軸方向の突条１ａ，１ｂに係合して光軸方向のみに相対摺動可能に嵌合して該第１群保持筒１を支持している。また、該第１直進ガイド筒２には、その後端側に複数の外周突部２ｄと後端フランジ部２ｅとがすき間を置いて形成され、該後端フランジ部２ｅの外縁には２ケ所の突部２ｆが形成されている。３は第２レンズ群を保持する第２群保持筒で、該第１直進ガイド筒２の内周部に組み込まれ、その外周面に周方向に等間隔に設けた３ケ所のカムピン３ａが該第１直進ガイド筒２の３ケ所の光軸方向の貫通孔２ｃに相対摺動可能に係合し、第２レンズ群を光軸方向に移動可能に保持している。
【０００８】
４は第１差動カム筒で、前記第１群保持筒１及び第２群保持筒３を光学設計上の決められた位置に位置決め制御するために、その内周部に該第１群保持筒１の３ケ所のカムピン１ｃ及び該第２群保持筒３の３ケ所のカムピン３ａがそれぞれ係合する不図示の１群用カム溝及び２群用カム溝が形成され、さらに、その後端外周面には複数のカムピン４ａが突設している。そして、各レンズ群は前述のように前記第１直進ガイド筒２によりその回転方向の位置規制がなされているので、該第１差動カム筒４と該第１直進ガイド筒２の相対回転により撮影光学系の光軸方向移動が行われる。５はナットリングで、該第１直進ガイド筒２の複数の外周突部２ｄと後端フランジ部２ｅとのすき間に該第１直進ガイド筒２の弾性変形を利用して該外周突部２ｄを乗り越えて組み込まれ、相対回転可能に支持される。これにより、該第１直進ガイド筒２と該ナットリング５の外れる位相は存在しないので、使用可能な回転領域を増すことが可能となっている。また、該ナットリング５には光軸対称の位置に一対のナット部５ａが光軸と平行に突設され、該ナット部５ａは該第１直進ガイド筒２を該第１差動カム筒４に組み込んだ状態において第１差動カム筒用駆動ピン６を該第１差動カム筒４に固定するためのいわゆる雌ねじのナットとして機能するように構成されている。
【０００９】
以上の組み込み状態において、該第１直進ガイド筒２は該第１差動カム筒４に対して回転のみが許される状態になり、この相対回転により前記第１群保持筒１及び第２群保持筒３は回転方向の動きを該第１直進ガイド筒２により規制されているので、該第１差動カム筒４のカム溝に沿って光軸方向に進退することとなる。
【００１０】
次に、７は第２直進ガイド筒、８は第２差動カム筒である。そして、該第２直進ガイド筒７は該第２差動カム筒８の内径部に相対摺動可能に保持され、その後端側外周に形成した複数の突部７ａが該第２差動カム筒８の内周面に形成された不図示の周方向溝に係合し、相対回転可能に構成されている。なお、該第２直進ガイド筒７の該第２差動カム筒８への組込みの際は、それぞれの弾性変形を利用して該第２直進ガイド筒７の突部７ａを該第２差動カム筒８の内周面の周方向溝に係合され、従来のような組み込み位相は存在しないので、使用可能な回転領域を増すことが可能となる。
【００１１】
さらに、該第２直進ガイド筒７には該第２差動カム筒８に固定される第２差動カム筒用駆動ピン（不図示）が貫通する一対の逃げ溝７ｂが形成されているとともに、前記第１差動カム筒４のカムピン４ａが係合する該逃げ溝７ｂと同一リフト形状のカム溝７ｃを形成しているので、該第２直進ガイド筒７内で前記第１差動カム筒４が回転すると、該逃げ溝７ｂ及びカム溝７ｃに沿って光軸方向に進退する。この時、前記第１直進ガイド筒２はその２ケ所の後端フランジ突部２ｆが該第２直進ガイド筒７の内周部に形成された光軸方向溝部（不図示）に係合して摺動可能に保持されているので、回転せずに光軸方向に進退する。なお、該第２直進ガイド筒７の後端フランジには外周に一対の突部７ｄが形成されている。
【００１２】
その結果、前記第１差動カム筒４と前記第１直進ガイド筒２の相対回転が起こり、該第１差動カム筒４内で前述のように前記第１群保持筒１及び第２群保持筒３の光軸方向移動が起こる。この時の該第１差動カム筒４の回転は該第２差動カム筒８の内径部に設けられた光軸方向溝部８ａに前記第１差動カム筒用駆動ピン６が摺動可能に係合しているので、該第２差動カム筒８が回転することにより該第１差動カム筒４も同じ角度だけ回転する。
【００１３】
また、９は固定筒で、カメラ本体の図示されない取付部にねじ等により固定されており、その内周部には雌ヘリコイド９ａが形成されており、該第２差動カム筒８の外周後部に形成された平歯兼用雄ヘリコイド８ｂとヘリコイド結合されている。ここで、平歯兼用雄ヘリコイド８ｂとは平歯部分に雄ヘリコイド形状が設けられたものである。
さらに、該固定筒９には光軸方向の逃げ穴部９ｂが形成され、該逃げ穴部９ｂには該第２差動カム筒８の平歯兼用雄へリコイド８ｂと噛み合う鏡筒駆動ギヤ１０が支持され、該鏡筒駆動ギヤ１０は不図示のモータ等の駆動源からの回転力により回転すると、該第２差動カム筒８はそのヘリコイドリードに沿って光軸方向に進退する。
この時、該第２直進ガイド筒７はその後端フランジの突部７ｄが該固定筒９の内周面に設けられた光軸方向溝部９ｃに相対摺動自在に係合しているので、回転せずに光軸方向に進退する。該第２差動カム筒８と該第２直進ガイド筒７の相対回転力が前記第１差動カム筒４への回転力を付与することになる。
【００１４】
以上の構成の本実施例は、撮影レンズ系はレンズ繰り出し時において、まず、第２差動カム筒８がヘリコイドにより繰り出されると、該第２差動カム筒８内でさらに第１差動カム筒４が繰り出される。そして、該第１差動カム筒４内で第１群保持筒１及び第２群保持筒３がさらに繰り出されて、適宜、光学系の変倍動作や合焦動作を行う。したがって、本実施例のレンズ鏡筒はいわゆる３段沈胴式鏡筒を構成することになる。
【００１５】
【発明の効果】
以上説明したように、請求項１に示す本発明は回転しつつ光軸方向に進退する第１の駆動筒と、該第１の駆動筒と一体になって回転せずに光軸方向に進退する第２の駆動筒と、該第１及び第２の駆動筒を相対回転可能に保持するリング部材とを有し、該リング部材には該第１の駆動筒に回転力を付与するための駆動ピンを該第１の駆動筒に固定する雌ねじ部が一体的に形成されていることにより、第１の駆動筒と第２の駆動筒の使用可能な回転角を増すことが可能となり、鏡筒設計における自由度が増すとともに、雌ねじ部により係合保持機能を有しているので、より安価な鏡筒を提供できる。
【図面の簡単な説明】
【図１】本発明に係る一実施例のレンズ鏡筒の要部の分解斜視図である。
【符号の説明】
１・・第１群保持筒、２・・第１直進ガイド筒、３・・第２群保持筒、４・・第１差動カム筒、５・・ナットリング、６・・第１差動カム筒用駆動ピン、７・・第２直進ガイド筒、８・・第２差動カム筒、９・・固定筒、１０・・鏡筒駆動ギヤ。
【図１】
0004026914.tif 000002